(57)【要約】【課題】標準的なＡＴコマンドモデムが使用できて、しかもセンター装置側から通信したい特定の非常通報装置と通信が出来る非常通報システム及び非常通報方法を得る。【解決手段】被監視側に設置された複数の非常通報装置と、監視側に設置されこれら複数の非常通報装置に対して公衆電話回線で接続されたセンター装置とを備えた非常通報システムにおいて、上記複数の非常通報装置２を相互に接続する装置間通信手段６を備えると共に、上記非常通報装置は、同一の公衆電話回線４に対して複数の非常通報装置の内１台のみ接続するための切替スイッチ手段２１と、上記センター装置３とデータを送受信するための標準ＡＴコマンドモデム２３と、自機が親機のときに通信終了後、自機の切替スイッチ手段をＯＦＦにし、上記装置間通信手段を介して所定の他機の切替スイッチ手段をＯＮに制御する処理手段２４とを備えた。【選択図】図１
2008160177.tif 000002
【特許請求の範囲】
【請求項１】
被監視側に設置された複数の非常通報装置と、監視側に設置されこれら複数の非常通報装置に対して公衆電話回線で接続されたセンター装置とを備えた非常通報システムにおいて、上記複数の非常通報装置を相互に接続する装置間通信手段を備えると共に、上記非常通報装置は、同一の公衆電話回線に対して複数の非常通報装置の内１台のみ接続するための切替スイッチ手段と、上記センター装置とデータを送受信するための標準ＡＴコマンドモデムと、自機が親機のときに通信終了後、自機の切替スイッチ手段をＯＦＦにし、上記装置間通信手段を介して所定の他機の切替スイッチ手段をＯＮに制御する処理手段とを備えたことを特徴とする非常通報システム。
【請求項２】
上記処理手段は、上記複数の非常通報装置を順次親機とするように他機の切替スイッチ手段をＯＮに制御することを特徴とする請求項１記載の非常通報システム。
【請求項３】
上記処理手段は、複数の非常通報装置の内、上記センター装置から要求のあった特定の他機を親機とするように当該他機の切替スイッチ手段をＯＮに制御することを特徴とする請求項１記載の非常通報システム。
【請求項４】
上記処理手段は、監視対象からの情報の処理、及び上記センター装置からの要求に対する応答処理を行なう中央処理装置からなることを特徴とする請求項１ないし請求項３の何れかに記載の非常通報システム。
【請求項５】
被監視側に設置された複数の非常通報装置から監視側に設置されたセンター装置に１つの公衆電話回線を介して非常通報を行なう非常通報方法において、上記複数の非常通報装置を相互に接続する装置間通信手段を備えると共に、上記複数の非常通報装置にそれぞれ標準ＡＴコマンドモデムを設け、上記複数の非常通報装置の回線着信権を上記装置間通信手段を介して動的に切替えて被監視側の情報を監視側に送信することを特徴とする非常通報方法。
【発明の詳細な説明】
【技術分野】
【０００１】
この発明は、例えばエレベータやビル内設備などの状態や異常を公衆電話回線を介して遠隔的に監視または制御する場合などに好ましく用いることが出来る非常通報システム及び非常通報方法に関するものである。
【背景技術】
【０００２】
従来の非常通報システムとして、エレベータやビル内設備の状態や異常をメンテナンスセンタから電話回線を介して遠隔に監視する非常通報装置において、上記メンテナンスセンタに電話回線を介して接続された網制御手段と、該網制御手段を介して上記メンテナンスセンタとモデムおよびＰＢ信号を使ってデータ伝送を行う伝送手段と、上記網制御手段を介して回線上の信号有無を検出するレベル検出手段と、上記ＰＢ信号の受信幅を測定する計測手段と、上記各手段を制御する中央処理手段とを備えたものがある（例えば特許文献１参照。）
【０００３】
【特許文献１】特開２００３−３４８２６２号公報（第１頁、図１）
【発明の開示】
【発明が解決しようとする課題】
【０００４】
上記のような従来の非常通報システムは、ビル側の１本の電話回線に複数台接続された特定のビル側非常通報装置にセンター装置が情報を要求する場合、まず代表（親機）となるビル側非常通報装置と通信し、特定の非常通報装置へ電話回線を切り替える為の通信をモデム信号を使って親機と行い、特定の非常通報装置へ電話回線を切り替える。この時、標準的なＡＴコマンドモデムは電話１回の接続で１回の通信しか出来ないため、これらの動作を実現するには特殊な機能をもったモデムを使用しなければならないという問題が有った。
【０００５】
この発明は、上記のような従来技術の課題を解消するためになされたもので、標準的なＡＴコマンドモデムが使用できて、しかもセンター装置側から通信したい特定の非常通報装置と通信が出来る非常通報システム及び非常通報方法を得ることを目的としている。
【課題を解決するための手段】
【０００６】
この発明に係る非常通報システムは、被監視側に設置された複数の非常通報装置と、監視側に設置されこれら複数の非常通報装置に対して公衆電話回線で接続されたセンター装置とを備えた非常通報システムにおいて、上記複数の非常通報装置を相互に接続する装置間通信手段を備えると共に、上記非常通報装置は、同一の公衆電話回線に対して複数の非常通報装置の内１台のみ接続するための切替スイッチ手段と、上記センター装置とデータを送受信するための標準ＡＴコマンドモデムと、自機が親機（親号機）のときに通信終了後、自機の切替スイッチ手段をＯＦＦにし、上記装置間通信手段を介して所定の他機の切替スイッチ手段をＯＮに制御する処理手段とを備えたものである。
【発明の効果】
【０００７】
この発明においては、複数の非常通報装置を相互に接続する装置間通信手段を備えると共に、同一の公衆電話回線に対して複数の非常通報装置の内１台のみ接続するための切替スイッチ手段と、自機が親機のときに通信終了後、自機の切替スイッチ手段をＯＦＦにし、上記装置間通信手段を介して所定の他機の切替スイッチ手段をＯＮに制御する処理手段を備え、１回のモデム通信が終了した後の次回接続時に親機を切替えるようにすることで、標準ＡＴコマンドモデムを使用でき、しかもセンター装置から通信したい特定の非常通報装置と通信が出来る。また、特殊な動作をもたない標準ＡＴコマンドモデムを使用できるのでシステムの構成が簡単で、安価にすることが出来る。
【発明を実施するための最良の形態】
【０００８】
実施の形態１．
図１はこの発明の実施の形態１による非常通報システムの要部を概念的に示す構成図である。図において、非常通報システム１は、ビルなどの被監視側に設置された非常通報装置２（＃１号機２ａ、＃２号機２ｂ、＃３号機２ｃ）と、監視側に設置されたセンター装置３と、公衆電話回線４を用いて構成される。非常通報装置２は、この例では＃１号機２ａ、＃２号機２ｂ、＃３号機２ｃの３台設けられ、ビル内電話回線５に並列接続されている。また＃１号機２ａ、＃２号機２ｂ、＃３号機２ｃ相互の間で通信するための装置間通信手段６によって接続されている。＃１号機２ａ、＃２号機２ｂ、＃３号機２ｃには、＃１号機２ａ、＃２号機２ｂ、＃３号機２ｃのどれを公衆電話回線４に接続するかを切り替える切替スイッチ手段２１（２１ａ〜２１ｃ）、公衆電話回線４に接続するためのＮＣＵ等の網制御装置２２（２２ａ〜２２ｃ）、監視側のセンター装置３と通信するための標準ＡＴコマンドモデム２３（２３ａ〜２３ｃ）、上記切替スイッチ手段２１（２１ａ〜２１ｃ）や情報類を制御する処理手段としての中央処理装置２４（２４ａ〜２４ｃ）をそれぞれ備えている。
【０００９】
中央処理装置２４ａ〜２４ｃには、図示省略しているエレベータ、エスカレータ、その他の設備類等から所望により選ばれた所定の監視対象の状態や異常情報等の信号が入力され、処理されるほか、各非常通報装置２ａ〜２ｃの自機が親機のときに通信終了後、自機の切替スイッチ手段２１ａ、２１ｂ、又は２１ｃをＯＦＦにし、装置間通信手段６を介して所定の他機の切替スイッチ手段２１ａ、２１ｂ、又は２１ｃをＯＮに切替えるように制御する。一方、センター装置３は、例えば従来装置と同様、公衆電話回線４に接続するための網制御装置３２、非常通報装置２ａ〜２ｃと通信するためのモデム３３、情報類を処理するための中央処理装置３４などを備えている。
【００１０】
次に上記のように構成された実施の形態１の動作について説明する。まず、被監視側（ビル側）の非常通報装置２の＃１号機２ａが親機として動作する場合、切替スイッチ手段２１ａがＯＮ状態となっている。センター装置３が＃１号機２ａ、＃２号機２ｂ、＃３号機２ｃそれぞれへ巡回データ要求する場合、センター装置３は非常通報装置２へ電話をかけると、現在親機である＃１号機２ａが応答する。標準ＡＴコマンドモデム２３ａによりセンター装置３へ要求データを送信し、＃１号機２ａは通信を終える。その後、＃１号機２ａは装置間通信回線６を使用し、＃２号機２ｂと通信し、親機を＃２号機２ｂへ引き渡し、切替スイッチ手段２１ａをＯＦＦ、切替スイッチ手段２１ｂをＯＮにする。
【００１１】
同様に、次回センター装置３が非常通報装置２へ電話をかけると、現在親機である＃２号機２ｂが応答し、標準ＡＴコマンドモデム２３ｂによりセンター装置３へ要求データを送信し＃２号機２ｂは通信を終える。その後、＃２号機２ｂは装置間通信回線６を使用し、＃３号機２ｃと通信し、親機を＃３号機２ｃへ引き渡し切替スイッチ手段２１ｂをＯＦＦ、切替スイッチ手段２１ｃをＯＮにする。これらの動作を繰り返す事で、センター装置３は被監視側の非常通報装置２の＃１号機２ａ、＃２号機２ｂ、＃３号機２ｃそれぞれとサイクリックに巡回通信を行い１接続ごとに各非常通報装置＃１号機２ａ、＃２号機２ｂ、＃３号機２ｃのデータを収集する。
【００１２】
上記のように、この実施の形態１によれば、同一公衆電話回線４へ複数台の非常通報装置＃１号機２ａ、＃２号機２ｂ、＃３号機２ｃを接続し、そのうちの１台のみ公衆電話回線４へ接続し通信するための切替スイッチ手段２１ａ〜２１ｃ、センター装置３とデータを送受信するための標準ＡＴコマンドモデム２３ａ〜２３ｃ、同一の公衆電話回線４に接続した非常通報装置のどれが電話回線を使用するのかをそれぞれで決めるための装置間通信回線６、それらを制御する中央処理装置２４ａ〜２４ｃを備えたことにより、標準ＡＴコマンドモデム２３ａ〜２３ｃの使用でも、センター装置３から通信したい特定の非常通報装置と通信が出来る。また、標準ＡＴコマンドモデム２３ａ〜２３ｃを使用できるのでシステムの構成が簡単で、安価にすることが出来る。
【００１３】
実施の形態２．
図１に示す実施の形態１の非常通報システムにおいては、被監視側の複数の非常通報装置２に対して順次サクリックに巡回通信を行うようにしたのに対し、この実施の形態２は、特定の非常通報装置ヘデータ要求できるようにしたものであり、Ｈ／Ｗ構成は図１と同様であるので、以下図１を参照して説明する。
即ち、実施の形態２では、監視側のセンター装置３が被監視側の非常通報装置＃１号機２ａ、＃２号機２ｂ、＃３号機２ｃのうち特定の非常通報装置ヘデータ要求する場合を説明する。まず、非常通報装置＃１号機２ａが親機として動作する場合、切替スイッチ手段２１ａがＯＮ状態、他の切替スイッチ手段２１ｂ、２１ｃはＯＦＦとなっている。また、通信を要求する特定の相手を＃３号機２ｃとした場合の説明を行う。
【００１４】
センター装置３は非常通報装置２へ電話をかけると、現在親機である非常通報装置＃１号機２ａが応答する。＃１号機２ａは標準ＡＴコマンドモデム２３ａによりセンター装置３とデータ通信を行い、センター装置３から非常通報装置＃３号機２ｃへの通信要求であることを通知される。＃１号機２ａは通信を終え、その後、＃１号機２ａは装置間通信回線６を使用し、＃３号機２ｃと通信し、親機を＃３号機２ｃへ引き渡し、切替スイッチ手段２１ａをＯＦＦ、切替スイッチ手段２１ｃをＯＮにする。同様に、次回センター装置３が非常通報装置２へ電話をかけると、現在親機である非常通報装置の＃３号機２ｃが応答し、標準ＡＴコマンドモデム２３ｃによりセンター装置３へ要求データを送信し＃３号機２ｃは通信を終える。この動作により、センター装置３は被監視側の特定の非常通報装置の＃３号機２ｃのデータを収集することができる。なお、センター装置３から特定の非常通報装置の指定があったときのみ順番を変更し、指定がなければ実施の形態１と同様にサイクリックに巡回通信を行うようにすることも出来る。
【００１５】
上記のように、実施の形態２によれば、監視側のセンター装置３が被監視側に設けられた複数の非常通報装置＃１号機２ａ、＃２号機２ｂ、＃３号機２ｃのうち、任意の特定の非常通報装置ヘデータ要求し、要求した相手から次回通信時にデータを収集することができる。このため、上記実施の形態１と同様の効果に加えて、例えば監視対象の非常通報装置の数が多い場合でも指定した特定の非常通報装置から早期に必要な情報が得られるという効果が得られる。
【００１６】
なお、上記実施の形態では、被監視側の非常通報装置２が３台設置されている場合について例示したが、非常通報装置の台数は特に限定されるものではないことは当然である。また、非常通報装置２は監視対象が例えばエレベータの場合、典型的な設置例としてはエレベータの設置台数分が設置されるが、回路の構成を変えることで、例えば中央処理装置（処理手段）が複数台のエレベータなどの監視対象を監視制御するようにすることも出来る。また、処理手段として中央処理装置２４を用いたが、必ずしもこれに限定されるものではない。
【図面の簡単な説明】
【００１７】
【図１】この発明の実施の形態１による非常通報システムの要部を概念的に示す構成図である。
【符号の説明】
【００１８】
１  非常通報システム、  ２  非常通報装置（  ２ａ  ＃１号機、  ２ｂ  ＃２号機、  ２ｃ  ＃３号機）、  ２１（２１ａ、２１ｂ、２１ｃ）  切替スイッチ手段、  ２２（２２ａ、２２ｂ、２２ｃ）  網制御装置、  ２３（２３ａ、２３ｂ、２３ｃ）  標準ＡＴコマンドモデム、  ２４（２４ａ、２４ｂ、２４ｃ）  中央処理装置（処理手段）、  ３  センター装置、  ３２  網制御装置、  ３３  モデム、  ３４  中央処理装置、  ４  公衆電話回線、  ５  ビル内電話回線、  ６  装置間通信手段。
【図１】
2008160177.tif 000003